(57)【要約】【課題】ＰＯＳ端末の近傍に、現金用のトレイとＩＣカード載置台をそれぞれ設置しなくても現金での支払いとＩＣカード等での支払いが可能な、金銭受皿および商品販売データ処理ユニットを提供する。【解決手段】実施形態の金銭受皿は、商品販売処理に伴う現金決済に用いる金銭と前記商品販売処理に伴う電子決済に用いる媒体とが載置される載置部と、前記載置部に対向して配置され、前記載置部に載置された媒体に対し決済処理を行う前媒体処理装置と、を備える。【選択図】図５
2016062318.tif 000002
【特許請求の範囲】
【請求項１】
商品販売処理に伴う現金決済に用いる金銭と前記商品販売処理に伴う電子決済に用いる媒体とが載置される載置部と、
前記載置部に対向して配置され、前記載置部に載置された媒体に対し決済処理を行う前媒体処理装置と、
を備えた金銭受皿。
【請求項２】
前記載置部に連設した位置に表示面を顧客に向けて配置し、前記商品販売処理に係る情報と前記決済に係る情報を前記顧客に対して表示する表示装置、
をさらに備えた請求項１に記載の金銭受皿。
【請求項３】
前記表示装置は、前記表示面をタッチして入力操作が可能なタッチパネルを備えている、
請求項２に記載の金銭受皿。
【請求項４】
前記表示装置のスイーベル調整を行うスイーベル機構、
をさらに備えた請求項２または３に記載の金銭受皿。
【請求項５】
商品販売データ処理を実行する商品販売データ処理装置と、
前記商品販売データ処理装置に近接させて配置される請求項１ないし４の何れか一に記載の金銭受皿と、
を備えることを特徴とする商品販売データ処理ユニット。
【発明の詳細な説明】
【技術分野】
【０００１】
本発明の実施形態は、金銭受皿および商品販売データ処理ユニットに関する。
【背景技術】
【０００２】
小売店等での商品販売処理に係る決済に際し、顧客は、現金で支払いをする場合と金銭価値を記憶した非接触型のＩＣカード等での決済を希望する場合とがある。顧客が現金で支払いをする場合は、顧客は、商品販売処理を実行するＰＯＳ（Point  Of  Sales）端末の近傍に設けられた金銭受皿に現金を載置する。キャッシャは、載置された現金を受け取る。
【０００３】
一方、顧客が、ＩＣカード等での決済を希望する場合は、顧客は、ＩＣカードを、ＰＯＳ端末の近傍に設けられた専用の載置台に載置する。そして、ＰＯＳ端末の近傍に設置されたカード決済装置が、ＩＣカードと通信して決済処理を行う。
【０００４】
このように、ＰＯＳ端末の近傍に現金用の金銭受皿とＩＣカード用の載置台をそれぞれ設置するためのスペースが必要となる。
【発明の概要】
【発明が解決しようとする課題】
【０００５】
本発明が解決しようとする課題は、ＰＯＳ端末の近傍に、現金用のトレイとＩＣカード載置台をそれぞれ設置しなくても現金での支払いとＩＣカード等での支払いが可能な、金銭受皿および商品販売データ処理ユニットを提供することである。
【課題を解決するための手段】
【０００６】
実施形態の金銭受皿は、商品販売処理に伴う現金決済に用いる金銭と前記商品販売処理に伴う電子決済に用いる媒体とが載置される載置部と、前記載置部に対向して配置され、前記載置部に載置された媒体に対し決済処理を行う前媒体処理装置と、を備える。
【０００７】
実施形態の商品販売データ処理ユニットは、商品販売データ処理を実行する商品販売データ処理装置と、前記商品販売データ処理装置に近接させて配置される請求項１ないし４の何れか一に記載の金銭受皿と、を備える。
【図面の簡単な説明】
【０００８】
【図１】図１は、実施形態にかかるチェックアウトシステムの全体を示す斜視図である。
【図２】図２は、ＰＯＳ端末ユニットを主体とした外観を示す斜視図である。
【図３】図３は、客用表示器および金銭受皿の取り付け構造を例示的に示す斜視図である。
【図４】図４は、客用表示器および金銭受皿のスイーベル回転を示し、（ａ）は正対時、（ｂ）は時計回り時、（ｃ）は反時計回り時を示す図である。
【図５】図５は、客用表示器および金銭受皿の取り付け構造を模擬的に示す正面図である。
【図６】図６は、ＰＯＳ端末のハードウェア構成を示すブロック図である。
【図７】図７は、客用表示器の表示例を示し、（ａ）は商品情報および合計金額の表示画面、（ｂ）はカード選択画面、（ｃ）および（ｄ）は操作指示画面を示す図である。
【発明を実施するための形態】
【０００９】
図１は、実施形態にかかるチェックアウトシステム１０の全体を示す斜視図である。商品販売データ処理システムであるチェックアウトシステム１０は、ＰＯＳ（Point  Of  Sales）端末１１と商品データ入力端末装置１２と釣銭機ユニット１５を備える。ＰＯＳ端末１１は、商品を販売する商品販売処理および販売された商品の決済処理を行う。商品データ入力端末装置１２は、ＰＯＳ端末１１に通信回線１０８（図６を参照）を介して接続されている。商品データ入力端末装置１２は、コードシンボルとしてのバーコードを読み取るバーコードスキャナ１３を備えている。商品データ入力端末装置１２は、買い物かご１４が載置される横長テーブル形状のレジ台１６上に立設している。
【００１０】
ここで、チェックアウトシステム１０の１人制によるチェックアウト時の概要動作について説明する。チェックアウトレーンに並んだ顧客Ｃは、商品Ｇを入れた買い物かご１４をレジ台１６上におく。そして顧客Ｃは、商品Ｇの販売作業の流れの方向である方向Ｌに沿って進む。
【００１１】
一方、店員であるオペレータＯは、商品Ｇを構成している商品を買物かご１４から取り出し、商品に付されたバーコードをバーコードスキャナ１３により読み取らせる。全ての商品の読み取りが完了すると、オペレータＯは、商品データ入力端末装置１２から決済指示を行う。決済指示があると、商品データ入力端末装置１２は、ＰＯＳ端末１１に対して読み取った商品コードおよび決済指示を通知する。その後、オペレータＯは、商品データ入力端末装置１２の操作位置からＰＯＳ端末１１の操作位置に移動する。
【００１２】
次いで、顧客Ｃが現金での支払い（現金決済）を希望する場合は、オペレータＯは、ＰＯＳ端末１１に対して顧客Ｃから受け取った現金の金額を入力する。ＰＯＳ端末１１は、釣銭が必要な場合には、釣銭機ユニット１５に対して釣銭の払い出しの指示を行うとともに、レシートを発行して決済処理を終了する。顧客Ｃが、例えば金銭価値である電子マネー情報を扱うＩＣカードや携帯端末等での支払い（電子決済）を希望する場合は、媒体読取装置であるリーダライタを用いて決済処理を実行する。なお、電子マネー情報を扱うＩＣカードや携帯端末等を総称して「媒体」という。媒体は、電子マネーを予め記憶したプリペイド型と電子マネーを記憶しないポストペイド型を含み、いずれも電子決済に用いる。実施形態では、プリペイド型のＩＣカードを媒体の一例として以降説明する。なお、ＩＣカードを「カード」いう。実施形態ではカード４１（図５を参照）である。
【００１３】
ここで、図２はＰＯＳ端末１１を主体とした外観を示す斜視図である。図２に示すように、ＰＯＳ端末１１は、上面に、タッチパネルが設けられた液晶ディスプレイ等として構成されたオペレータ用表示器２１を備えている。また、ＰＯＳ端末１１は、サーマルプリンタなどとして構成されるプリンタ２２と、キーボード等の操作部２３と、を備えている。また、ＰＯＳ端末１１は、クーポンを発行するクーポンプリンタ２５も接続する。
【００１４】
さらに、ＰＯＳ端末１１の近傍には、客用表示器２４と金銭受皿２６が備えられている。客用表示器２４は、図１中、レーンの右側でチェックアウトを行う顧客Ｃ用の決済に係る各種情報（商品価格や支払い合計金額など）を表示する矩形状の表示装置である。金銭受皿２６は、決済時に現金やカードを一時的に載置するための受皿である。
【００１５】
なお、ＰＯＳ端末１１の下方には、釣銭機ユニット１５が設けられている。釣銭機ユニット１５は、ＰＯＳ端末１１に対して顧客Ｃの入金額を入力するとともに、ＰＯＳ端末１１からの指示に応じて釣銭の払い出しを行う。釣銭機ユニット１５は、硬貨投入・払出部２８及び紙幣投入・払出部２９が設けられている。オペレータＯは、顧客Ｃが金銭受皿２６に載置した金銭（貨幣）を硬貨投入・払出部２８および紙幣投入・払出部２９に入金する。また、オペレータＯは、硬貨投入・払出部２８および紙幣投入・払出部２９に払出された金銭を金銭受皿２６に載置する。
【００１６】
ＰＯＳ端末１１及び釣銭機ユニット１５は、レジ台となるラック３２の天板上に載置されている。
【００１７】
次いで、図３〜図５を用いて、ＰＯＳ端末１１に備えられた客用表示器２４、金銭受皿２６、リーダライタ４０の構造について詳述する。
【００１８】
ここで、図３は客用表示器２４および金銭受皿２６の取り付け構造を例示的に示す斜視図である。図４は客用表示器２４および金銭受皿２６のスイーベル回転を示し、（ａ）は正対時、（ｂ）は時計回り時、（ｃ）は反時計回り時を示す図である。図３において、客用表示器２４および金銭受皿２６は、客用表示器２４の表示面のスイーベル調整を行うためのスイーベル機構５０を備えている。スイーベル調整とは、客用表示器２４の表示面の向きの左右方向への角度調整をおこなうことである。スイーベル機構５０と、客用表示器２４と、金銭受皿２６とを主体として、金銭授受ユニット２７が形成される。そして、金銭授受ユニット２７とＰＯＳ端末１１とによって商品販売データ処理ユニットが構成されている。
【００１９】
客用表示器２４は、略長方形形状である。客用表示器２４は、表示面２４ａを備えている。表示面２４ａの表面には、タッチパネル（図示せず）が設けられている。客用表示器２４と金銭受皿２６は、回転部材５２に固定的に備えられている。
【００２０】
スイーベル機構５０は、ベース部材５１と、回転部材５２と、支持部材５３とを備えている。支持部材５３は、ラック３２の天板上に一端が固定されている。平板形状のベース部材５１は、支持部材５３の他端に取付けられている。一方、平板形状の回転部材５２は、ベース部材５１に対してネジ５４ａ，５４ｂにより固定される。
【００２１】
回転部材５２には、客用表示器２４を固定する固定部材５２ｃが立設されている。固定部材５２ｃは、回動支点となるヒンジ５２ｄを有しており、ヒンジ５２ｄによって客用表示器２４をチルト方向（上下方向）に回動自在に保持する。
【００２２】
なお、固定部材５２ｃのヒンジ５２ｄは、矩形状の客用表示器２４を、顧客Ｃから見て横置きと縦置きとに選択的に配置することができる。ここで、縦置きとは、縦の長さが横の長さより長い置き位置と定義する。横置きとは、横の長さが縦の長さより長い置き位置と定義する。
【００２３】
また、金銭受皿２６は、回転部材５２上において固定部材５２ｃに設けられた客用表示器２４に干渉されない位置に設けられている。しかしながら、金銭受皿２６と客用表示器２４とは、一体感を持たせるために、できる限り近づけて設置されることが望ましい。すなわち、客用表示器２４の表示面２４ａは、金銭受皿２６の載置部２６ａに連設して配置され、かつ金銭受皿２６から立設している。これにより、顧客Ｃに対して金銭受皿２６がより接近する。これは、顧客Ｃが金銭受皿２６に対して貨幣を支払う際に、客用表示器２４に表示された決済に係る情報である支払い金額を確認しやすいレイアウトである。
【００２４】
ベース部材５１は、特に図示しないが、回転部材５２の固定部材５２ｃを挟んで対向する位置にネジ５４ａ，５４ｂを受ける一対のネジ穴が設けられている。一方、回転部材５２には、客用表示器２４および金銭受皿２６のスイーベル方向に沿う長孔５２ａおよび長孔５２ｂが形成されている。長孔５２ａおよび長孔５２ｂは、ベース部材５１に設けられた一対のネジ穴を結ぶ線を直径とする円周上に形成されている。そして、長孔５２ａ，５２ｂ内にそれぞれ挿入されたネジ５４ａ，５４ｂは、回転部材５２を長孔５２ａ，５２ｂに沿って移動可能に保持する。ネジ５４ａ，５４ｂは、長孔５２ａ，５２ｂ内でベース部材５１の一対のネジ穴に対して固定される。
【００２５】
これにより、客用表示器２４および金銭受皿２６は、長孔５２ａ，５２ｂの範囲でスイーベル機構５０によるスイーベル方向における一体での回動操作が可能となっている。顧客Ｃを正対する位置に導くためには、客用表示器２４および金銭受皿２６を図４（ａ）の位置に固定する。顧客Ｃを下流側を向くように導くためには、客用表示器２４および金銭受皿２６を、正対位置から図４（ｂ）の時計回り方向にスイーベルさせる。顧客Ｃを上流側を向くように導くためには、客用表示器２４および金銭受皿２６を、正対位置から図４（ｃ）の反時計回り方向にスイーベルさせる。
【００２６】
実施形態によれば、客用表示器２４および金銭受皿２６を、スイーベル機構５０によって、客用表示器２４および金銭受皿２６を一体にスイーベル調整を行うことができる。したがって実施形態では、コンパクトな構造を保ちつつ、客用表示器２４の表示面２４ａを見易いレイアウトに調整することができる。また、実施形態では、金銭受皿２６に対する客の操作性も調整可能とすることができる。
【００２７】
また、図３および図５に示すように、金銭受皿２６は、載置部２６ａおよび金銭受部２６ｄが形成されている。載置部２６ａは、平坦な平面部に数本の棒状部が形成されている。金銭受部２６ｄは、載置部２６ａと連接して形成されている。金銭受部２６ｄは、載置部２６ａから下方に窪んだ略半球形状である。
【００２８】
また、載置部２６ａは、カード４１を載置するカード載置部でもある。すなわち、載置部２６ａには、カード４１を載置する位置を視覚的に示す略四角の図形２６ｂが記載されている。図形２６ｂには、例えば「カード」文字２６ｃが印刷される等で形成されている。すなわち図形２６ｂは、顧客Ｃが、カード４１を載置部２６ａの正しい位置に載置するための目印である。顧客Ｃは、図形２６ｂに合わせてカード４１を載置する。なお、金銭受皿２６は、鉄等の金属以外の材質（例えば樹脂）で形成されている。
【００２９】
また、金銭受皿２６の下方には、カード４１に記憶された電子マネー情報を電気的に読み取るリーダライタ４０が設置されている。リーダライタ４０は、金銭受皿２６の下方であって、かつ載置部２６ａの図形２６ｂに略対向する位置に、下方から金銭受皿２６に接して設けられている。
【００３０】
リーダライタ４０は、公知のＮＦＣ（Near  Field  Communication）通信技術を用いて、載置部２６ａに載置されたカード４１に記憶された電子マネー情報を読み取る。また、リーダライタ４０は、ＮＦＣ通信技術を用いて、載置部２６ａに載置されたカード４１に電子マネー情報を書き込む。実施形態では、リーダライタ４０は、決済処理に応じて、カード４１に記憶された電子マネー情報を読み取る。そしてリーダライタ４０は、読み取った電子マネー情報から決済金額を減算し、残額分の電子マネー情報をカード４１に書き込む。また、リーダライタ４０は、ＰＯＳ端末１１からチャージする金額の情報が入力されると、カード４１にチャージ金額分の電子マネー情報をカード４１に書き込む。
【００３１】
なお、リーダライタ４０は、金銭受皿２６に接していなくてもよい。この場合、リーダライタ４０は、載置部２６ａの図形２６ｂに略対向する位置に金銭受皿２６から所定距離（例えば数ｍｍ）離して設置する。要は、リーダライタ４０は、載置部２６ａに載置されたカード４１とＮＦＣ通信が成立する距離に設置されればよい。また、金銭受皿２６の少なくとも載置部２６ａ付近は透明であることが望ましい。金銭受皿２６が透明であれば、顧客Ｃは、金銭受皿２６を通して、設置されているリーダライタ４０の位置を確認できる。そのため、顧客Ｃは、図形２６ｂが形成されていなくてもカード４１を正しい位置に載置できる。
【００３２】
顧客Ｃが決済に対する金銭を現金で支払う場合、顧客Ｃは、現金を金銭受皿２６内の載置部２６ａに載置する。すると、オペレータＯは、載置部２６ａに載置された現金を、手の指等で金銭受部２６ｄに導いてつかみ取る。そしてオペレータＯは、つかみ取った現金を硬貨投入・払出部２８及び紙幣投入・払出部２９から入金する。また、オペレータＯは、釣銭として払出された現金を、載置部２６ａに載置する。顧客Ｃは、載置部２６ａに載置された現金を手の指等で金銭受部２６ｄに導いてつかみ取る。
【００３３】
一方、顧客Ｃが決済に対する金銭をカード４１での支払いを希望する場合、顧客Ｃは、オペレータＯに対して、カード４１で支払う旨を伝え、カード４１を載置部２６ａに載置する。この際、顧客Ｃは、図形２６ｂを目印として見ながらカード４１を載置する。すると、ＰＯＳ端末１１は、リーダライタ４０を制御して、載置部２６ａに載置されたカード４１により決済処理を実行する。その際、客用表示器２４は、顧客Ｃの操作を誘導する画面を表示する（図７を参照）。
【００３４】
次に、図６のブロック図を用いて、ＰＯＳ端末１１のハードウェアについて説明する。図６において、ＰＯＳ端末１１は、ＣＰＵ（Central  Processing  Unit）１０１、ＲＯＭ（Read  Only  Memory）１０２、ＲＡＭ（Random  Access  Memory）１０３、メモリ部１０４等を備えている。ＣＰＵ１０１は、制御主体となる。ＲＯＭ１０２は、各種プログラムを記憶する。ＲＡＭ１０３は、各種データを展開する。メモリ部１０４は、各種プログラムを記憶する。ＣＰＵ１０１、ＲＯＭ１０２、ＲＡＭ１０３、メモリ部１０４は、互いにデータバス１０５を介して接続されている。ＣＰＵ１０１とＲＯＭ１０２とＲＡＭ１０３が、制御部１００を構成する。ＣＰＵ１０１が、ＲＯＭ１０２やメモリ部１０４に記憶されＲＡＭ１０３に展開された制御プログラム１０４１に従って動作する。ＣＰＵ１０１がこのように動作することにより、制御部１００は後述する制御処理を実行する。
【００３５】
メモリ部１０４は、電源を切っても記憶情報が保持されるＨＤＤ（Hard  Disc  Drive）やフラッシュメモリ等の不揮発性メモリで構成される。メモリ部１０４は、制御プログラム１０４１を含むプログラム等を記憶する。
【００３６】
データバス１０５は、コントローラ１０６を介して、操作部２３、オペレータ用表示器２１、客用表示器２４、リーダライタ２０、プリンタ２２を接続する。
【００３７】
操作部２３は、小計キー２３１、現計キー２３２の他、置数キー、ファンクションキー等を含む種々のキーを備えている。小計キー２３１は、一取引の終了を宣言するためのキーである。現計キー２３２は、現金で取引の決済処理を行うためのキーである。
【００３８】
オペレータ用表示器２１は、表示面を店員等の操作者に向けて設置され、操作者に対して情報を表示する。客用表示器２４は、表示面２４ａを顧客に向けて設置され、顧客に対して情報を表示する。
【００３９】
リーダライタ４０は、ＮＦＣ通信技術を用いて、金銭受皿２６の載置部２６ａに載置されたカード４１と通信を実行する。
【００４０】
プリンタ２２は、ＰＯＳ端末１１の本体内にロール状のレシート用紙を収納する。プリンタ２２は、レシート用紙を引き出して、例えば熱転写型の印字ヘッドを備えたサーマルプリンタ等で商品情報や決済情報等を印字し、レシートとして発行する。
【００４１】
また、データバス１０５は、店舗内に設置された通信回線１０８と電気的に接続する通信Ｉ／Ｆ（Interface）１０７を接続している。通信Ｉ／Ｆ１０７は、通信回線１０８を介して商品データ入力端末装置１２と接続している。
【００４２】
次に、ＰＯＳ端末１１の制御部１００が実行する制御処理の流れについて説明しながら、図７を用いて客用表示器２４の表示の変遷についても説明する。
【００４３】
ＰＯＳ端末１１においてすべての商品の商品販売処理を実行すると、オペレータＯは、操作部２３の小計キー２３１を操作する。するとＰＯＳ端末１１の制御部１００は、客用表示器２４に図７（ａ）の表示をする。すなわち、制御部１００は、客用表示器２４の表示面２４ａに、商品販売処理を実行した商品の商品情報（商品名と金額）２４ｂを表示する。また、制御部１００は、商品販売処理された商品の合計金額２４ｃを表示する。また、制御部１００は、カード４１での決済を希望する顧客Ｃが操作するカード決済ボタン２４ｄを表示する。
【００４４】
ここで、顧客Ｃが現金を載置部２６ａに載置した場合は、オペレータＯは、現金での決済であると判断する。そして、オペレータＯは、預かった現金の金額を操作部２３から入力するとともに操作部２３の現計キー２３２を操作する。すると、制御部１００は、現金での決済処理を実行する。そして、制御部１００は、商品販売処理を実行した商品の商品情報や決済情報をプリンタ２２で印字してレシートを発行する。そして制御部１００は、決済処理を終了する。
【００４５】
一方、顧客Ｃがカードでの支払いを希望する場合は、表示面２４ａのタッチパネルをタッチしてカード決済ボタン２４ｄを操作する。すると制御部１００は、図７（ｂ）に示すように、店舗で使用可能なカードを客用表示器２４に表示する。すなわち、図７（ｂ）において、制御部１００は、商品販売処理された商品の合計金額２４ｃを表示する。また、制御部１００は、決済において使用可能なカード２４ｍ（実施形態では、カードＡ〜カードＦの６種類のカード）を表示する。また、制御部１００は、表示されたカードのいずれかを顧客Ｃに選択させるようなメッセージ２４ｅ（実施形態では、「カードを選択してください」のメッセージ）を表示する。
【００４６】
ここで、顧客Ｃは、表示されたカードから一つのカードを選択して当該カードをタッチする。実施形態では、カードＡが選択される。すると制御部１００は、図７（ｃ）に示すように選択されたカード２４ｆを表示する。また、制御部１００は、商品販売処理された商品の合計金額２４ｃを表示する。さらに制御部１００は、カードを載置部２６ａに載置するようなメッセージ２４ｇと説明図２４ｈを表示する。実施形態では、制御部１００は、メッセージ２４ｇとして「カードを置いてください」と表示している。また、実施形態では、説明図２４ｈとして、カードを載置部２６ａに載置した図が表示される。
【００４７】
顧客Ｃは、メッセージ２４ｇの説明や説明図２４ｈの表示に従って、選択したカードＡを金銭受皿２６の載置部２６ａに載置する。すると制御部１００は、リーダライタ４０を制御して、載置部２６ａに載置されたカード４１から電子マネー情報を読み出す。次に制御部１００は、読み出した電子マネー情報から決済金額を減算する。次に制御部１００は、リーダライタ４０を制御して、減算した結果の電子マネー情報をカード４１に書き込む。
【００４８】
次に制御部１００は、決済結果を図７（ｄ）のように表示する。すなわち、制御部１００は、選択されたカード２４ｆを表示する。また、制御部１００は、商品販売処理された商品の合計金額２４ｃを表示する。さらに制御部１００は、リーダライタ４０を制御してカード４１から読み取った電子マネー情報２４ｉを表示する。さらに制御部１００は、カード４１に書き込んだ電子マネー情報２４ｊを表示する。また、制御部１００は、カード４１を載置部２６ａから取り除くメッセージ２４ｋと説明図２４ｌを表示する。実施形態では、制御部１００は、メッセージ２４ｋとして「カードをお取りください」と表示している。また、実施形態では、説明図２４ｌとして、カードを載置部２６ａから取り除く図が表示される。
【００４９】
このような実施形態では、顧客Ｃが現金で決済を希望する場合は、顧客Ｃは、現金を金銭受皿２６の載置部２６ａに載置する。すると制御部１００は、現金での決済処理を実行する。一方、顧客Ｃがカードでの決済を希望する場合は、顧客Ｃは、カード４１を金銭受皿２６の載置部２６ａに載置する。すると制御部１００は、カード４１での決済処理を実行する。そのため、ＰＯＳ端末１１の近傍に、現金用の金銭受皿とカード４１用の載置台を設けなくても、現金での支払いとカード４１での支払いが可能となる。
【００５０】
また、客用表示器２４と金銭受皿２６の載置部２６ａを連設して設け、かつ客用表示器２４の表示面２４ａは、金銭受皿２６から立設している。そのため、客用表示器２４に表示される情報が、載置部２６ａに載置された現金やカード４１により隠れることがない。また、顧客Ｃは、客用表示器２４に表示された表示と、載置部２６ａに載置された現金やカード４１を同一視野内で見ることができる。そのため、顧客Ｃは、客用表示器２４に表示された支払い合計金額を見ながら現金やカード４１を載置することができる。これにより、顧客の動作に余分な負荷が掛かることがなくなり、顧客のストレスが軽減されるとともに、会計に掛かる時間が短縮される。
【００５１】
さらに、表示面２４ａにはタッチパネルが設けられているが、載置部２６ａに載置された現金やカード４１によりタッチパネルの操作が邪魔されることがない。
【００５２】
また、客用表示器２４および金銭受皿２６を一体として回転させることで、スイーベル機構５０を追加しても構造をコンパクトにすることができる。このため、客用表示器２４および金銭受皿２６のレイアウト関係を崩すことなく上記効果を提供可能としている。また、スイーベル機構５０の追加によるコストアップも最小限に抑えることが可能である。
【００５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５４】
例えば、実施形態では、媒体としてＩＣカード（実施形態の「カード」）を例に説明したが、媒体は、電子マネー情報が記憶された携帯端末等の他の媒体であってもよい。
【符号の説明】
【００５５】
１１      ＰＯＳ端末
２４      客用表示器
２６      金銭受皿
２６ａ    載置部
２７      金銭授受ユニット
４０      リーダライタ
４１      カード
５０      スイーベル機構
【先行技術文献】
【特許文献】
【００５６】
【特許文献１】特開２０００−２８５３１５号公報
【図１】
2016062318.tif 000003
【図２】
2016062318.tif 000004
【図３】
2016062318.tif 000005
【図４】
2016062318.tif 000006
【図５】
2016062318.tif 000007
【図６】
2016062318.tif 000008
【図７】
2016062318.tif 000009